(57)【要約】      （修正有）【課題】装填ユニットロッキングカラーを提供する。【解決手段】装填ユニット１０およびロッキングカラーアセンブリは、シェルアセンブリ２０とロッキングカラー４０とを含む。シェルアセンブリは、外科用器具の遠位端部分を受け取るための近位端部分１０４を有する。該近位端部分は、外側表面および内側表面を有する環状リングを含む。環状リングの外側表面は、近位端部分を有する環状溝を規定する。環状リングは、該環状リングを通るロック開口部を規定する。ロッキングカラーは、環状溝内に解放可能に配置されており、環状本体を含む。ロッキングカラーの環状本体は、解放表面の対およびロックを有する。ロックは、環状本体から半径方向内方に延びている。解放表面の対は、ロッキングカラーをロック構成からアンロック構成に遷移させるように構成されている。【選択図】図１Ａ
2020189153.tif 000002
【特許請求の範囲】
【請求項１】
明細書に記載された発明。
【発明の詳細な説明】
【技術分野】
【０００１】
（関連出願の相互参照）
本願は、２０１５年１月７日に出願された米国特許出願第１４／５９１，１９３号の一部継続出願であり、その利益およびそれに対する優先権を主張するものであり、該米国特許出願の全体の内容は、参照により本明細書中に援用される。
【０００２】
（１．技術分野）
本開示は、概して、外科用ステープリング器具に関する。より具体的には、本開示は、交換可能装填ユニットを含む円形外科用ステープリング器具に関する。
【背景技術】
【０００３】
（２．関連技術分野の背景）
外科手順の間に組織部分を接合するように構成された外科用ステープリングデバイスは、周知である。これらのデバイスは、デバイスの長手方向軸に対して平行にまたは横断するように配向された線形エンドエフェクタならびに円形エンドエフェクタを含む。典型的に、線形ステープリングデバイスは、使い捨て装填ユニットまたは交換可能カートリッジを含み、該使い捨て装填ユニットまたは交換可能カートリッジは、ステープリングデバイスが複数回用いられることを可能にする。しかしながら、従来の円形ステープリングデバイスは、デバイスに対して堅固に取り付けられたカートリッジまたはシェルアセンブリを含み、その結果、デバイスは、単回の使用の後に捨てられなければならない。いくつかの円形ステープリングデバイスは、交換可能なカートリッジまたはシェルアセンブリを含む。
【０００４】
例えば、当該技術分野においては、ステープリングデバイスの再使用を促進するためにカートリッジまたはシェルアセンブリを円形ステープリングデバイスに対して解放可能に固定するための単純で廉価なデバイスに対する需要が存在する。
【発明の概要】
【課題を解決するための手段】
【０００５】
（概要）
本開示の一局面において、装填ユニットおよびロッキングカラーアセンブリは、シェルアセンブリとロッキングカラーとを含む。シェルアセンブリは、外科用器具の遠位端部分を受け取るための近位端部分を有する。該近位端部分は、外側表面および内側表面を有する環状リングを含む。環状リングの外側表面は、近位端部分を有する環状溝を規定する。環状リングは、該環状リングを通るロック開口部を規定する。ロッキングカラーは、環状溝内に解放可能に配置されており、環状本体を含む。ロッキングカラーの環状本体は、解放表面の対およびロックを有する。ロックは、環状本体から半径方向内方に延びている。解放表面の対は、ロッキングカラーをロック構成からアンロック構成に遷移させるように構成されている。ロック構成において、ロックは、ロック開口部を通って延びており、環状リングの内側表面を貫通しており、アンロック構成において、ロックは、環状リングの内側表面から半径方向外方に位置付けられている。
【０００６】
局面において、解放表面の各々は、他方の解放表面に向けて付勢されることにより、ロッキングカラーをロック構成からアンロック構成に遷移させる。解放表面の各々は、半径方向内方に圧迫される得ことにより、ロッキングカラーをアンロック構成に向けて遷移させ得る。代替的に、解放表面の各々は、シェルアセンブリの長手方向軸に対して横断する平面内でロッキングカラーの外周の周りで付勢され得ることにより、ロッキングカラーをアンロック構成に向けて遷移させ得る。
【０００７】
いくつかの局面において、ロッキングカラーは、シェルアセンブリの長手方向軸に対して横断する平面内で楕円形の断面を規定し、ここで、アンロック構成における幅は、ロック構成における幅よりも小さい。幅は、解放表面の対の間で規定され得る。代替的に、ロッキングカラーは、シェルアセンブリの長手方向軸に対して横断する平面内で楕円形の断面を規定し得、ここで、幅は、高さよりも小さくあり得る。
【０００８】
特定の局面において、ロッキングカラーは、ロック構成におけるシェルアセンブリの長手方向軸に対して横断する平面内で円形の断面を規定する。ロッキングカラーは、シェルアセンブリの長手方向軸に対して横断する平面内で楕円形の断面を規定し得、ここで、幅は、アンロック構成における高さよりも小さくあり得る。高さは、解放表面の対とロックとの間で規定され得る。
【０００９】
特別な局面において、ロッキングカラーは、ロック構成に向けてバイアスされる。ロッキングカラーの環状本体は、第１の解放表面および第２の解放表面を形成するように分裂し得る。第１の解放表面は、環状本体の外周の周りで第１の方向に延び得、第２の解放表面は、環状本体の外周の周りで第１の方向とは反対の第２の方向に延び得る。第１の解放表面および第２の解放表面は、各々、端部と環状本体との間に係合窓を規定する端部を含み得る。ロッキングカラーは、ロッキングカラーがアンロック構成からロック構成へと遷移するときに、インディシアを提供するように構成され得る。該インディシアは、可聴性であり得る。シェルアセンブリは、組織を通るステープルを発射するように構成され得る。
【００１０】
本開示の別の実施形態において、外科用システムは、外科用器具と、装填ユニットと、ロッキングカラーとを含む。外科用器具は、遠位端を含む。装填ユニットは、外科用器具の遠位端の上に位置付けられた近位端部分を有する。該近位端部分は、外側表面および内側表面を有する環状リングを含む。環状リングの外側表面は、近位端部分を有する環状溝を規定する。環状リングは、該環状リングを通るロック開口部を規定する。ロッキングカラーは、装填ユニットの環状溝内に解放可能に配置されており、解放表面の対およびロックを有する環状本体を含んでいる。ロックは、環状本体から半径方向内方に延びている。解放表面の対は、ロッキングカラーをロック構成からアンロック構成に遷移させるように構成されている。ロック構成において、ロックは、ロック開口部を通って延びており、環状リングの内側表面を貫通しており、アンロック構成において、ロックは、環状リングの内側表面から半径方向外方に位置付けられている。
【００１１】
局面において、外科用器具の遠位端は、窓を規定する。ロックは、ロック構成においては、窓の中へと延び得、アンロック構成においては、窓の外側に位置付けられ得る。ロッキングカラーは、ロック構成においては、装填ユニットを外科用器具の遠位端に固定し得、ロッキングカラーは、アンロック構成においては、装填ユニットが外科用器具から除去されることを可能にし得る。ロックは、近位ステップ、遠位ステップ、および近位ステップと遠位ステップとの間の角度を付けられた表面を含み得る。角度を付けられた表面は、ロックが外科用器具の遠位端に規定された窓内に位置付けられるまで、外科用器具の遠位端部分の上をスライドすることにより、ロックを半径方向外方に移動させるように構成され得る。
【００１２】
本開示の別の局面において、装填ユニットおよびロッキングカラーアセンブリは、シェルアセンブリとロッキングカラーとを含む。シェルアセンブリは、円筒形開口部を規定している近位方向に延びている環状リングを有する。環状リングは、該環状リングを通過するロック開口部を規定している。シェルアセンブリは、ロック開口部から環状リングの反対側において環状リングに隣接している第１の保持スロットを規定している。ロッキングカラーは、環状リングの周りに位置付けられている。ロッキングカラーは、本体、ロック、および第１の保持タブを有する。本体は、少なくとも１つの解放表面を含む。ロックは、少なくとも１つの解放表面から離間された本体の内側表面から延びている。ロッキングカラーは、ロック構成とアンロック構成とを有している。ロック構成において、ロックは、ロック開口部を通して円筒形開口部の中へと延びている。アンロック構成において、ロックは、円筒形開口部の外方に配置されている。第１の保持タブは、少なくとも１つの解放表面が環状リングに向けて内方に押圧されたときに、ロックの反対側にあるロッキングカラーの側が、環状リングに対して外方に移動することを防止するように、第１の保持スロット内に受け取られている。
【００１３】
局面において、少なくとも１つの解放表面は、本体の両側に位置付けられた２つの解放表面を含む。２つの解放表面は、ロッキングカラーをアンロック構成に遷移させるように互いに向けて内方に移動可能であり得る。環状リングは、２つの解放表面の各々に隣接しているレリーフ溝を規定している。解放溝は、解放表面のエリアにおいてロッキングカラーの本体の内方移動を可能にし得る。本体は、弾力性を有し得、本体の弾力性は、ロッキングカラーをロック構成に向けて付勢し得る。
【００１４】
いくつかの局面において、アセンブリは、ロッキングカラーの近位で環状リングの周りに位置付けられた保持リングを含む。保持リングは、第２の保持スロットを規定し得る。ロッキングカラーは、第２の保持タブを含み得、該第２の保持タブは、少なくとも１つの解放表面が環状リングに向けて内方に押圧されたときに、ロックの反対側にあるロッキングカラーの側が、外方に移動することを防止するように、第２の保持スロット内に受け取られている。第１の保持タブおよび第２の保持タブは、互いに対して軸方向に整列させられ得る。
【００１５】
特別な局面において、環状リングは、シェルアセンブリの長手方向軸に対して平行な方向に延びている保持溝を規定している。第１の保持タブおよび第２の保持タブは、本体の内側表面から内方に延びている保持リブの両側から延びている。保持リブは、保持溝に配置され得る。シェルアセンブリは、保持溝の上で遠位方向に延びていることにより第１の保持スロットを規定しているカバーを含み得る。ロッキングカラーの本体は、第１の保持タブに隣接して位置付けられたカットアウトを規定し得る。カットアウトは、シェルアセンブリのカバーを受け取るようにサイズ決めされ得る。
【００１６】
特定の局面において、環状リングは、環状リングを通過する保持開口部を規定している。保持リングは、保持リングの内側表面から延びているロッキングタブを含み得、該ロッキングタブの各々は、保持リングを環状リングに対して固定するように、保持開口部のうちのそれぞれ１つにおいて受け取られている。保持開口部は、環状リングの周りで不均等に離間され得る。ロッキングタブは、楔の形状を規定し得、該楔の形状は、遠位方向に面している楔の角度を付けられた表面を有する。環状リングの近位端は、面取り部を規定し得、該面取り部の各々は、保持開口部および／またはロック開口部の各々と軸方向に整列させられている。
【００１７】
本開示の別の局面において、外科用システムは、外科用器具と、シェルアセンブリと、ロッキングカラーとを含む。外科用器具は、遠位端を通るロック窓を規定している遠位端を含む。シェルアセンブリは、円筒形開口部を規定している近位方向に延びている環状リングを有する。環状リングは、該環状リングを通過するロック開口部を規定している。シェルアセンブリは、ロック開口部から環状リングの反対側において環状リングに隣接している第１の保持スロットを規定している。外科用器具の遠位端は、ロック開口部がロック窓と半径方向に整列された状態で、円筒形開口部内に受け取られている。ロッキングカラーは、環状リングの周りに位置付けられている。ロッキングカラーは、本体、ロック、および第１の保持タブを有する。本体は、解放表面を含む。ロックは、解放表面から離間された本体の内側表面から延びている。ロッキングカラーは、ロック構成とアンロック構成とを有する。ロック構成において、ロックは、ロック窓の中へと延びており、シェルアセンブリを外科用器具の遠位端に対して固定している。アンロック構成において、ロックは、ロック窓から係脱し、その結果、シェルアセンブリが外科用器具の遠位端から取り外し可能になっている。第１の保持タブは、解放表面が環状リングに向けて内方に押圧されたときに、ロックの反対側にあるロッキングカラーの側が、環状リングに対して外方に移動することを防止するように、第１の保持スロット内に受け取られている。
【００１８】
本開示の別の局面において、装填ユニットを用いる方法は、ロッキングカラーをシェルアセンブリと整列させることと、装填ユニットをシェルアセンブリの近位方向に延びている環状リングの上で遠位方向にスライドさせることとを含む。ロッキングカラーのロックは、環状リングと係合しており、ロックは、ロックが環状リングを通るように規定されたロック開口部と整列させられるまで、ロッキングカラーのアンロック構成に向けて外方に移動させられる。ロックカラーの本体の弾力性は、ロッキングカラーを該ロッキングカラーのロック構成に向けて付勢することにより、ロック開口部を通してロックを移動させる。ロッキングカラーの保持タブは、ロックからロッキングカラーの反対側に位置付けられており、シェルアセンブリによって規定された保持スロットの中にスライドすることにより、ロッキングカラーの反対側が外方に移動することを防止する。
【００１９】
局面において、方法は、装填ユニットを外科用器具の遠位端に取り付けることを含み、該取り付けは、装填ユニットを外科用器具の遠位端と整列させることと、装填ユニットを外科用器具の遠位端の上でスライドさせ、その結果、ロッキングのロックが、外科用器具の遠位端と係合するようにすることとによって行われる。遠位端は、ロックが外科用器具の遠位端に規定されたロッキング窓と整列させられるまで、ロックを外方に移動させることにより、ロッキングカラーをアンロック構成に向けて付勢し得る。ロックは、ロッキングカラーの本体の弾力性によってロッキング窓を通して付勢されることにより、装填ユニットを外科用器具の遠位端に対して固定し得る。
【００２０】
いくつかの局面において、方法は、装填ユニットが外科用器具の遠位端に取り付けられた後に、外科用器具を用いて装填ユニットのシェルアセンブリを作動させることを含む。方法は、シェルアセンブリを作動させた後に、装填ユニットを外科用器具の遠位端から取り外すことを含み得、該取り外しは、ロッキングカラーの解放表面を内方に移動させることにより、ロックを外方に移動させることと、装填ユニットを外科用器具の遠位端からスライドさせることとによって行われる。ロッキングカラーの解放表面を内方に移動させることは、ロックを外科用器具の遠位端のロッキング窓から係脱させ得る。ロッキングカラーの保持タブは、シェルアセンブリと係合することにより、ロックの反対側にあるロッキングカラーの側が、ロッキングカラーの解放表面を内方に移動させることに応答して外方に移動することを防止し得る。
【００２１】
さらに、整合する範囲で、本明細書中に記載されている局面のうちの任意のものは、本明細書中に記載されているその他の局面のうちの任意のものまたは全てと関連して用いられ得る。
本明細書は、例えば、以下を提供する。
（項目１）
装填ユニットおよびロッキングカラーアセンブリであって、上記アセンブリは、
円筒形開口部を規定している近位方向に延びている環状リングを有するシェルアセンブリであって、上記環状リングは、上記環状リングを通るロック開口部を規定しており、上記シェルアセンブリは、上記ロック開口部から上記環状リングの反対側において上記環状リングに隣接している第１の保持スロットを規定している、シェルアセンブリと、
上記環状リングの周りに位置付けられたロッキングカラーであって、上記ロッキングカラーは、本体、ロック、および第１の保持タブを有しており、上記本体は、少なくとも１つの解放表面を含んでおり、上記ロックは、上記少なくとも１つの解放表面から離間された上記本体の内側表面から延びており、上記ロッキングカラーは、上記ロックが上記ロック開口部を通して上記円筒形開口部の中へと延びているロック構成と、上記ロックが上記円筒形開口部の外方に配置されているアンロック構成とを有しており、上記第１の保持タブは、上記少なくとも１つの解放表面が上記環状リングに向けて内方に押圧されたときに、上記ロックの反対側にある上記ロッキングカラーの側が、上記環状リングに対して外方に移動することを防止するように、上記第１の保持スロット内に受け取られている、ロッキングカラーと
を含む、アセンブリ。
（項目２）
上記少なくとも１つの解放表面は、２つの解放表面を含み、上記２つの解放表面は、上記本体の両側に位置付けられており、かつ、上記ロッキングカラーを上記アンロック構成に遷移させるように互いに向けて内方に移動可能である、上記項目に記載のアセンブリ。
（項目３）
上記環状リングは、上記２つの解放表面の各々に隣接しているレリーフ溝を規定しており、上記レリーフ溝は、上記解放表面のエリアにおいて上記ロッキングカラーの上記本体の内方移動を可能にする、上記項目のいずれかに記載のアセンブリ。
（項目４）
上記本体は、弾力性があり、上記本体の上記弾力性は、上記ロッキングカラーを上記ロック構成に向けて付勢する、上記項目のいずれかに記載のアセンブリ。
（項目５）
上記ロッキングカラーの近位で上記環状リングの周りに位置付けられた保持リングをさらに含み、上記保持リングは、第２の保持スロットを規定している、上記項目のいずれかに記載のアセンブリ。
（項目６）
上記ロッキングカラーは、第２の保持タブを含み、上記第２の保持タブは、上記少なくとも１つの解放表面が上記環状リングに向けて内方に押圧されたときに、上記ロックの反対側にある上記ロッキングカラーの上記側が外方に移動することを防止するように、上記第２の保持スロット内に受け取られている、上記項目のいずれかに記載のアセンブリ。
（項目７）
上記第１の保持タブおよび上記第２の保持タブは、互いに対して軸方向に整列させられている、上記項目のいずれかに記載のアセンブリ。
（項目８）
上記環状リングは、上記シェルアセンブリの長手方向軸に対して平行な方向に延びている保持溝を規定しており、上記第１の保持タブおよび上記第２の保持タブは、上記本体の内側表面から内方に延びている保持リブの両側の端部から延びており、上記保持リブは、上記保持溝に配置されている、上記項目のいずれかに記載のアセンブリ。
（項目９）
上記シェルアセンブリは、上記保持溝の上で遠位方向に延びていることにより上記第１の保持スロットを規定しているカバーを含む、上記項目のいずれかに記載のアセンブリ。
（項目１０）
上記ロッキングカラーの上記本体は、上記第１の保持タブに隣接して位置付けられたカットアウトを規定しており、上記カットアウトは、上記シェルアセンブリの上記カバーを受け取るようにサイズ決めされている、上記項目のいずれかに記載のアセンブリ。
（項目１１）
上記環状リングは、保持開口部を規定しており、上記保持リングは、上記保持リングの内側表面から延びているロッキングタブを含み、上記ロッキングタブの各々は、上記保持リングを上記環状リングに対して固定するように、上記保持開口部のうちのそれぞれ１つにおいて受け取られている、上記項目のいずれかに記載のアセンブリ。
（項目１２）
上記保持開口部は、上記環状リングの周りで不均等に離間されている、上記項目のいずれかに記載のアセンブリ。
（項目１３）
上記ロッキングタブは、楔の形状を規定しており、上記楔の形状は、遠位方向に面している上記楔の角度を付けられた表面を有する、上記項目のいずれかに記載のアセンブリ。
（項目１４）
上記環状リングの近位端は、面取り部を規定しており、上記面取り部の各々は、上記保持開口部のうちの１つと軸方向に整列させられている、上記項目のいずれかに記載のアセンブリ。
（項目１５）
上記環状リングの近位端は、上記ロック開口部と軸方向に整列させられた面取り部を規定している、上記項目のいずれかに記載のアセンブリ。
（項目１６）
外科用システムであって、
ロック窓を規定している遠位端を含む外科用器具と、
円筒形開口部を規定している近位方向に延びている環状リングを有するシェルアセンブリであって、上記環状リングは、上記環状リングを通るロック開口部を規定しており、上記シェルアセンブリは、上記ロック開口部から上記環状リングの反対側において上記環状リングに隣接している第１の保持スロットを規定しており、上記外科用器具の上記遠位端は、上記ロック開口部が上記ロック窓と半径方向に整列させられている状態で、上記円筒形開口部内に受け取られている、シェルアセンブリと、
上記環状リングの周りに位置付けられたロッキングカラーであって、上記ロッキングカラーは、本体、ロック、および第１の保持タブを有しており、上記本体は、少なくとも１つの解放表面を含んでおり、上記ロックは、上記少なくとも１つの解放表面から離間された上記本体の内側表面から延びており、上記ロッキングカラーは、上記ロックが上記ロック窓の中へと延びており、上記シェルアセンブリを上記外科用器具の上記遠位端に対して固定しているロック構成と、上記ロックが上記ロック窓から係脱し、その結果、上記シェルアセンブリが上記外科用器具の上記遠位端から取り外し可能になっているアンロック構成とを有しており、上記第１の保持タブは、上記少なくとも１つの解放表面が上記環状リングに向けて内方に押圧されたときに、上記ロックの反対側にある上記ロッキングカラーの側が、上記環状リングに対して外方に移動することを防止するように、上記第１の保持スロット内に受け取られている、ロッキングカラーと
を含む、外科用システム。
（項目１７）
装填ユニットを用いる方法であって、上記方法は、
ロッキングカラーをシェルアセンブリと整列させることと、
上記装填ユニットを上記シェルアセンブリの近位方向に延びている環状リングの上で遠位方向にスライドさせることであって、上記ロッキングカラーのロックは、上記環状リングと係合しており、その結果、上記ロックは、上記ロックが上記環状リングを通るように規定されたロック開口部と整列させられるまで、上記ロッキングカラーのアンロック構成に向けて外方に移動させられ、上記ロッキングカラーの本体の弾力性は、上記ロッキングカラーを上記ロッキングカラーのロック構成に向けて付勢することにより、上記ロック開口部を通して上記ロックを移動させ、上記ロックから上記ロッキングカラーの反対側に位置付けられた上記ロッキングカラーの保持タブは、上記シェルアセンブリによって規定された保持スロットの中にスライドすることにより、上記ロッキングカラーの上記反対側が外方に移動することを防止する、ことと
を含む、方法。
（項目１８）
上記装填ユニットを外科用器具の遠位端に取り付けることをさらに含み、
上記取り付けることは、
上記装填ユニットを上記外科用器具の上記遠位端と整列させることと、
上記装填ユニットを上記外科用器具の上記遠位端の上でスライドさせることであって、その結果、上記ロッキングカラーの上記ロックが、上記外科用器具の上記遠位端と係合し、上記遠位端は、上記ロックが上記外科用器具の上記遠位端に規定されたロッキング窓と整列させられるまで、上記ロックを外方に移動させることにより、上記ロッキングカラーを上記アンロック構成に向けて付勢し、上記ロックは、上記ロッキングカラーの上記本体の弾力性によって上記ロッキング窓を通して付勢されることにより、上記装填ユニットを上記外科用器具の上記遠位端に対して固定する、ことと
を含む、上記項目に記載の方法。
（項目１９）
上記装填ユニットが上記外科用器具の上記遠位端に取り付けられた後に、上記外科用器具を用いて上記装填ユニットのシェルアセンブリを作動させることをさらに含む、上記項目のいずれかに記載の方法。
（項目２０）
上記シェルアセンブリを作動させた後に、上記装填ユニットを上記外科用器具の上記遠位端から取り外すことをさらに含み、
上記取り外すことは、
上記ロッキングカラーの解放表面を内方に移動させることにより、上記ロックを外方に移動させることであって、その結果、上記ロックは、上記外科用器具の上記遠位端の上記ロッキング窓から係脱され、上記ロッキングカラーの上記保持タブは、上記ロックの反対側にある上記ロッキングカラーの側が、上記ロッキングカラーの上記解放表面を内方に移動させることに応答して外方に移動することを防止するように、上記シェルアセンブリと係合している、ことと
上記外科用器具の上記遠位端から上記装填ユニットをスライドさせることと
を含む、上記項目のいずれかに記載の方法。
（摘要）
シェルアセンブリとロッキングカラーとを含む装填ユニットアセンブリ。シェルアセンブリは、円筒形開口部を規定している近位方向に延びている環状リングを有する。環状リングは、該環状リングを通過するロック開口部を規定している。シェルアセンブリは、ロック開口部から環状リングの反対側において環状リングに隣接している保持スロットを規定している。ロッキングカラーは、環状リングの周りに位置付けられており、本体、ロック、および保持タブを有している。本体は、解放表面を含む。ロッキングカラーは、ロックが円筒形開口部の中へと延びているロック構成と、ロックが円筒形開口部の外方に配置されているアンロック構成とを有する。前記ロックの反対側のロッキングカラーの側は、解放表面が環状リングに向けて内方に押圧されたときに、環状リングに対して外方に移動することを防止される。
【図面の簡単な説明】
【００２２】
本開示の様々な局面は、図面を参照して以下に記載され、それらの局面は、本明細書中に組み込まれ、本明細書の一部を構成している。
【００２３】
【図１Ａ】図１Ａは、本開示に従う円形ステープリング外科用器具の斜視図であり、装填ユニットが外科用器具の遠位端に解放可能に結合されている。
【００２４】
【図１Ｂ】図１Ｂは、本開示に従う別の円形ステープリングアダプタの斜視図であり、図１Ａの装填ユニットが外科用器具の遠位端に解放可能に結合されている。
【００２５】
【図２Ａ】図２Ａは、図１Ａのアダプタの斜視図であり、装填ユニットが外科用器具から分断されている。
【００２６】
【図２Ｂ】図２Ｂは、図１Ａの装填ユニットの斜視図であり、ロッキングカラーが装填ユニットから分離されている。
【００２７】
【図３】図３は、図１Ａの外科用器具の遠位端および装填ユニットの拡大側面図である。
【００２８】
【図４】図４は、図３の長手方向軸に沿って取られた側面断面図である。
【００２９】
【図５】図５は、図４の示されたエリアの詳細の拡大図である。
【００３０】
【図６】図６は、図４の切断線６−６に沿って取られた部分断面図であり、外科用器具の遠位端とロック構成におけるロッキングカラーとを図示している。
【００３１】
【図７】図７は、図６に類似した部分断面図であり、アダプタの遠位端とアンロック構成におけるロッキングカラーとを伴い、ロッキングカラーのロック構成が破線で示されている。
【００３２】
【図８】図８は、図５に類似した拡大側面断面図であり、アンロック構成におけるロッキングカラーを伴っている。
【００３３】
【図９】図９は、本開示に従う別のロッキングカラーの斜視図である。
【００３４】
【図１０】図１０は、ロック構成における図９のロッキングカラーの前面図である。
【００３５】
【図１１】図１１は、図１０の切断線１１−１１に沿って取られた断面図である。
【００３６】
【図１２】図１２は、アンロック構成における図９のロッキングカラーの端面図であり、ロッキングカラーのロック構成が破線で示されている。
【００３７】
【図１３】図１３は、本開示に従って提供される別の装填ユニットの斜視図である。
【００３８】
【図１４Ａ】図１４Ａおよび図１４Ｂは、図１３の装填ユニットの分解斜視図である。
【００３９】
【図１４Ｂ】図１４Ａおよび図１４Ｂは、図１３の装填ユニットの分解斜視図である。
【００４０】
【図１５】図１５は、図１３の切断線１５−１５に沿って取られた断面図である。
【００４１】
【図１６】図１６は、図１５の示されたエリアの詳細の拡大図である。
【００４２】
【図１７】図１７は、図１３の切断線１７−１７に沿って取られた断面図である。
【００４３】
【図１８】図１８は、図１３の装填ユニットの後面図であり、ロック構成におけるロッキングカラーを伴っている。
【００４４】
【図１９】図１９は、図１３の装填ユニットの後面図であり、アンロック構成におけるロッキングカラーを伴っている。
【発明を実施するための形態】
【００４５】
（実施形態の詳細な説明）
ここで、本開示の実施形態が、図面を参照して詳細に記載され、図面においては、いくつかの図の各々において、同様の参照番号は、同一のまたは対応する要素を指している。本明細書中で用いられるとき、用語「臨床医」は、医師、看護師、または支援要員を含みえるその他のケアプロバイダを参照している。本記載を通して、用語「近位」は、臨床医に最も近いデバイスまたは該デバイスの構成要素の部分を参照しており、用語「遠位」は、臨床医から最も遠いデバイスまたは該デバイスの構成要素の部分を参照している。
【００４６】
図１Ａおよび図２Ａを参照すると、装填ユニット１０が、本開示の一実施形態に従って提供されている。装填ユニット１０は、外科用器具のアダプタ１０２を介して給電式ハンドヘルド電気機械器具（不図示）に対する選択的な接続のために構成されている。代替的に、装填ユニット１０は、米国特許第８，７８９，７３７号（「’７３７特許」）に記載されているような、手動作動式ハンドルアセンブリまたはステープリング器具７００（図１Ｂ）に対する直接的な接続のために構成され得、’７３７特許は、その全体が参照により本明細書中に援用されている。図１Ａおよび図２Ａに図示されている実施形態において、装填ユニット１０は、アダプタ１０２の遠位端部分１１０に取り外し可能に結合されており、ステープルカートリッジ１２（図４）、シェルアセンブリ２０、およびロッキングカラー４０を含んでいる。装填ユニット１０はまた、図１Ｂの図示されている実施形態に示されているように、アンビル４００を含み得る。アダプタ１０２は、ステープリング器具（例えば、電気機械器具（不図示））の移動を変換し、ステープルカートリッジ１２を作動させて、組織（不図示）を縫合または切断させるように構成されている。アダプタ１０２の近位端１０４は、ステープルカートリッジ１２を作動させるために、ステープリング器具に取り付け可能である。アダプタ１０２の近位端１０４が、ステープルカートリッジ１２を作動させるために、’７３７特許に記載されているもののような手動作動式器具に取り付けられ得ることが企図される。
【００４７】
例示的なアダプタおよび装填ユニットの構造および機能の詳細な説明については、２０１４年１０月２１日に出願された共有に係る米国仮特許出願第６２／０６６，５１８号、発明の名称“Ａｄａｐｔｅｒ，  Ｅｘｔｅｎｓｉｏｎ，  ａｎｄ  Ｃｏｎｎｅｃｔｏｒ  Ａｓｓｅｍｂｌｉｅｓ  ｆｏｒ  Ｓｕｒｇｉｃａｌ  Ｄｅｖｉｃｅｓ”を参照されたい。例示的な電気機械器具の構造および機能の詳細な説明については、米国特許出願公開第２０１２／０２５３３２９号を参照されたい。これらの出願の各々は、その全体が参照により本明細書中に援用される。
【００４８】
図２Ａを参照すると、外科用器具（例えば、アダプタ１０２）の遠位端部分１１０は、窓１１２を規定している。窓１１２は、アダプタ１０２の遠位端部分１１０の外側表面を通過しており、アダプタ１０２の遠位端１１０ａから離間されている。
【００４９】
図２Ｂを参照すると、シェルアセンブリ２０は、アダプタ１０２の遠位端部分１１０を受け取るための円筒形開口部２１（図２Ａ）を規定している近位端部分２２と、ステープロカートリッジ１２を受け取りかつ支持するためのレセプタクル３４（図４）を規定している遠位端３２とを含む。シェルアセンブリ２０の近位端部分２２は、ロッキングカラー４０を受け取るようにサイズ決めされた溝２４を規定している陥凹した環状リング２３（図２Ｂ）を含む。実施形態において、ロッキングカラー４０は、溝２４の深さと等しい厚さを有しており、その結果、ロッキングカラー４０は、シェルアセンブリ２０の近位端部分２２の外側表面との連続表面または平滑表面を形成している。環状リング２３は、以下に詳述されるように、ロッキングカラー４０の一部分を受け取るロック開口部２８（図５）を規定しており、内側表面２３ａおよび外側表面２３ｂを規定している。
【００５０】
シェルアセンブリ２０の近位端部分２２は、溝２４内にロッキングカラー４０を保持するカラー保持部２５を支持する。カラー保持部２５はまた、ロッキングカラー４０の外径からアダプタ１０２（または、代替的に、図１Ｂの器具７００）の遠位端部分１１０への滑らかな遷移を提供するためにテーパ状にされ得る。カラー保持部２５は、カラー保持部２５をシェルアセンブリ２０の近位端部分２２に対して固定する、ロッキング特徴２６（図２Ａ）を含み得る。カラー保持部２５が、任意の公知の手段により、シェルアセンブリ２０の近位端部分２２に固定され得ることが企図され、該手段としては、プレス嵌めまたは超音波溶接したタブおよびインターロッキング構造を含むが、これらに限定されるものではない。また、カラー保持部２５が、シェルアセンブリ２０の近位端部分２２と一体的に形成され得ることが企図される。
【００５１】
図３〜６を参照すると、ロッキングカラー４０は、シェルアセンブリ２０の近位端部分２２の溝２４内にフィットするようにサイズ決めされた略環状本体４２と、該環状本体４２から半径方向内方に延びているロック４４とを含む。ロッキングカラー４０は、近位端部分２２の周りに位置つけられており、その結果、ロック４４は、ロック開口部２８と半径方向に整列させられている。ロック４４は、近位ステップ４５、遠位ステップ４８、および近位ステップ４５と遠位ステップ４８との間に位置付けられた角度をつけられた表面４６を含む。近位ステップ４５は、シェルアセンブリ２０の長手方向軸Ａ−Ａから第１の距離だけ半径方向内方に延びており、遠位ステップ４８は、第１の距離よりも小さいシェルアセンブリ２０の長手方向軸Ａ−Ａからの第２の距離だけ半径方向内方に延びている。ロック４４はまた、角度を付けられた表面４６と遠位ステップ４８との間に踊り場４７を含み得、該踊り場は、シェルアセンブリ２０の長手方向軸Ａ−Ａに対して実質的に平行である。遠位ステップ４８は、シェルアセンブリ２０の環状リング２３のロック開口部２８を規定している遠位壁部と係合するように位置付けられている。近位ステップ４５は、ロッキングカラー４０をシェルアセンブリ２０の近位端部分２２に対して長手方向に固定するために、ロック開口部２８の近位壁部に隣接して位置付けられている。
【００５２】
ロッキングカラー４０は、弾力性材料から作製され得る。例えば、ロッキングカラー１２は、射出成型プロセスを用いて弾力性プラスチック材料から形成され得る。しかしながら、ロッキングカラー４０がその他の適切な材料から形成され得ることが企図され、該材料としては、ばね鋼、ステンレス鋼、またはワイヤを含むが、これらに限定されるものではない。
【００５３】
図６を特別に参照すると、ロッキングカラー４０は、第１の解放表面４１ａおよび第２の解放表面４１ｂを含む。ロック４４は、第１の解放表面４１ａと第２の解放表面４１ｂとの中間に環状本体４２上に位置付けられ得る。ロック構成において、環状本体４２は、略楕円形状を規定しており、ここで、環状本体４２は、第１の軸Ｂ−Ｂ（第１の解放表面４１ａから第２の解放表面４１ｂまで）に沿った幅を有しており、該幅は、第２の軸Ｃ−Ｃに沿った高さ（ロック４４からロック４４の反対側の側まで）よりも大きい。環状本体４２は、ロック構成に向けてバイアスされ、その結果、ロック４４は、環状リング２３の周りに位置付けられているときに、環状リング２３の内側表面２３ａを貫通し（図５）、アダプタ１０２の遠位端部分１１０の窓１１２の中へと延びることにより、装填ユニット１０を外科用器具（例えば、アダプタ１０２）に対して固定する。環状本体４２は、環状リング２３の周りで溝２４内に位置付けられており、その結果、遠位ステップ４８（図５）は、アダプタ１０２の窓１１２を規定している遠位壁部１１２ａ（図５）と係合し、シェルアセンブリ２０を外科用器具のアダプタ１０２の遠位端部分１１０に対して長手方向に固定している。上で詳述したように、シェルアセンブリ２０の環状リング２３のロック開口部２８が、ロック構成において、アダプタ１０２の窓１１２と整列させられることにより、ロック４４が、ロック開口部２８および窓１１２を通過することを可能にすることが理解され得る。
【００５４】
図７および図８は、アンロック構成におけるロッキングカラー４０を図示しており、環状本体４２は、略楕円形状（高さは幅よりも大きい）を規定している。解放表面４１ａ、４１ｂは、一緒に手動で押圧され得ることにより、ロッキングカラー４０をアンロック構成に移動させ得る。アンロック構成において、ロック４４は、図７に示されているように距離「Ｄ」だけ半径方向外方に移動させられ、その結果、ロック４４は、環状リング２３の内側表面２３ａから半径方向外方に位置付けられる（図５）。距離「Ｄ」は、ロック４４がアダプタ１０２の窓１１２の中へと延びている距離よりも大きく、その結果、アンロック構成において、装填ユニット１０は、ロッキングカラー４０がアンロック構成にあるときに、アダプタ１０２の遠位端部分１１０から係脱され、除去可能である。距離「Ｄ」が、ロック４４の遠位ステップ４８が半径方向内方に延びている第２の距離よりも大きくあり得、その結果、アンロック構成において、ロック４４は、アダプタ１０２の窓１１２、および、シェルアセンブリ２０の近位端部分２２のロック開口部２８から除去されることが企図される。示されているように、アンロック構成において、高さは幅よりも大きいが、アンロック構成において、ロック４４が距離「Ｄ」だけ外方に移動させられた状態で、幅が高さよりも大きくあり得ることが企図される。
【００５５】
図２〜４を参照すると、装填ユニット１０を外科用器具（例えば、アダプタ１０２）に対して結合するために、装填ユニット１０は、アダプタ１０２と整列させられ、その結果、アダプタ１０２の遠位端部分１１０は、近位端部分２２の円筒形開口部２１内に位置付けられ、アダプタ１０２の窓１１２は、環状リング２３のロック開口部２８およびロッキングカラー４０のロック４４と半径方向に整列させられる。ロッキングカラー４４の外側表面は、ロック４４の場所に関して視覚的なまたは触覚的なインディシアを含み得る。装填ユニット１０がアダプタ１０２と整列された状態で、装填ユニット１０は、ロック４４がアダプタ１０２の窓１１２内に受け取られるまで、アダプタ１０２の遠位端部分１１０の上を近位方向に移動させられる。ロック４４が、ロック開口部２８を通過して、アダプタ１０２の窓１１２内に受け取られることが理解され得る。装填ユニット１０が、アダプタ１０２の遠位端部分１１０の上を近位方向に移動させられると、ロック４４の角度を付けられた表面４６は、アダプタ１０２の遠位端部分１１０と係合することにより、窓１１２が移動してロック４４と整列するまで、ロッキングカラー４０を、環状本体４２の自然な弾力性に対抗して、ロック構成からアンロック構成に向けて遷移させる（すなわち、カム作用を実行してロッキングカラーを変形させる）。窓１１２が移動してロック４４と整列するとき、ロック４４は、窓１１２の中にスナップ留めされる。ロッキングカラー４０のスナップ留め動作は、ロック４４が窓１１２内に受け取られたことの視覚的なまたは可聴的なインディシアを提供し得る。ロッキングカラー４０の環状本体４２の自然な弾力性が、アダプタ１０２内の窓１１２を通るようにロック４４を付勢することが理解され得る。ロック４４が窓１１２内に位置付けられたとき、ロッキングカラー４０の遠位ステップ４８は、窓１１２を規定しているアダプタ１０２の壁部１１２ａと係合することにより、装填ユニット１０のシェルアセンブリ２０をアダプタ１０２に対して長手方向に固定する。さらに、ロック４４が窓１１２内に受け取られたとき、ロック４４は、装填ユニット１０が、外科用器具（例えば、アダプタ１０２）に対して回転または捻転することを防止する。
【００５６】
装填ユニット１０が外科用器具（例えば、アダプタ１０２）に対して固定された状態で、外科用器具および装填ユニット１０は、外科手順を実行するために用いられ得る。以下に詳細に議論されるように、外科手順が完了した後、装填ユニット１０は、外科用器具から分断され得るかまたは取り外され得る。装填ユニット１０が、外科用器具から分断されたとき、別の装填ユニットが、外科手順における継続使用のために外科用器具に対して結合され得、外科用器具は、別の外科手順における使用のために殺菌され得るか、または、外科用器具は処分され得る。さらに、装填ユニット１０は、別の外科手順における使用のために殺菌され得るか、または処分され得る。
【００５７】
装填ユニット１０を外科用器具（例えば、アダプタ１０２）から分断または除去するために、ロッキングカラー４０は、第１の解放表面４１ａおよび第２の解放表面４１ｂを第１の軸Ｂ−Ｂに沿って互いに向けて圧迫することにより（図７において示されている矢印「Ｆ」によって表現されている）、アンロック構成へと遷移させられる。図７に示されているように、第１の解放表面４１ａおよび第２の解放表面４１ｂのうちの一方のみを他方の解放表面４１ａ、４ａｂに向けて圧迫することにより、ロッキングカラー４０が、アンロック構成へと遷移させられ得ることが企図される。ロッキングカラー４０がアンロック構成にある状態で、シェルアセンブリ２０は、該シェルアセンブリ２０をアダプタ１０２に対して軸方向に移動させることにより、アダプタ１０２の遠位端部分１１０との係合から解除され得る。
【００５８】
ここで図９〜１２を参照すると、別のロッキングカラー１４０が、本開示に従って提供されており、該別のロッキングカラーは、ロック４４と環状本体１４２とを含んでいる。ロッキングカラー１４０のロック４４は、上で詳述したロッキングカラー４０のロック４４に実質的に類似しており、それがロッキングカラー１４０に如何に関係しているかを除き、以下ではさらに議論されない。ロッキングカラー１４０の環状本体１４２は、上で詳述したロッキングカラー４０の環状本体４２と類似しているので、相違のみが、簡略化の理由のために、以下では詳述され得る。
【００５９】
以下で説明されるように、環状本体１４２は、１つ側において分裂していることにより、第１の解放表面または端部分１４４および第２の解放表面または端部分１４６を形成しており、これらの解放表面または端部分は、互いに対して移動可能に位置付けられており、その結果、ロッキングカラー１４０の直径は、選択的に変化させられ得る。第１の端部分１４４は、環状本体１４２の外周の周りで第１の方向に延びており、第２の端部分１４６は、環状本体１４２の外周の周りで第１の方向とは反対の第２の方向に延びている。第１の解放表面１４４および第２の解放表面１４６は、ロック４４の反対側において環状本体１４２の周りに位置付けられている。第１の端部分１４４および第２の端部分１４６の各々は、環状本体１４２に隣接している係合窓１４９を規定する端部１４５、１４７を有する。第１の端部分１４４および第２の端部分１４６の各々は、環状本体１４２の厚さの略半分である、装填ユニット１０（図１）の長手方向軸に沿った厚さを有しており、その結果、第１の端部分１４４および第２の端部分１４６は、環状本体１４２の外周の周りで互いにオーバーラップしている。
【００６０】
図１０および図１２を特別に参照すると、ロッキングカラー１４０は、ロッキングカラー１４０をロック構成（図１０）に向けて付勢する自然な弾力性を有する弾力性材料から形成される。ロック構成において、環状本体１４２は、装填ユニット１０の長手方向軸に対して横断する平面内に略円形の断面を規定する（図１０）。ロッキングカラー１４０のアンロック構成（図１２）において、環状本体１４２は、装填ユニット１０の長手方向軸に対して横断する平面内に略楕円形の断面を規定する。アンロック構成において、ロック４４は、第１の端部分１４４および第２の端部分１４６から離れるように距離「Ｅ」だけ移動させられる。ロッキングカラー１４０は、第１の端部分１４４の端部１４５および第２の端部分１４６の端部１４７を、それぞれ、矢印「Ｆ」によって表現されているように、互いに向けて付勢することにより、アンロック構成へと遷移させられる。端部１４５、１４７が、互いに向けて付勢されると、環状本体１４２は、ロック４４を端部１４５、１４７から離れるように距離「Ｅ」だけ移動させる。第１の端部分１４４および第２の端部分１４６は、ロッキングカラー１４０をアンロック構成に向けて移動させるために、第１の端部分１４４および第２の端部分１４６を付勢する方向に関し、矢印の形態における視覚的なまたは触覚的なインディシア（図９）を含み得る。
【００６１】
図１３〜１９を参照すると、本開示に従って別の装填ユニット２１０が提供されている。以下に詳述されるように、装填ユニット２１０は、保持タブ２５２、２５４を含み、該保持タブは、シェルアセンブリ２２０の保持スロット２３８、２６４内に受け取られることにより、ロッキングカラー２４０の解放表面２４１ａ、２４１ｂが圧迫されるかまたは狭窄されたときに、ロッキングカラー２４０の１つの側が、シェルアセンブリ２２０の外方に移動することを防止する。以下に詳細に議論されるように、ロッキングカラー２４０の１つの側の外方移動を制限することにより、ロッキングカラー２４０の反対側の外方移動が増幅され、器具の遠位端から装填ユニット２１０を解放するために必要な程度に、解放表面２４１ａ、２４１ｂの内方移動の範囲を低減する。装填ユニット２１０は、シェルアセンブリ２２０、ロッキングカラー２４０、および保持リング２６０を含む。シェルアセンブリ２２０は、上で詳述したシェルアセンブリ２０に類似している。したがって、類似した特徴の議論は、簡略化の理由により、制限され得る。
【００６２】
ここで図１３〜１４Ｂを参照すると、シェルアセンブリ２２０は、近位方向に延びている環状リング２２３を含む。環状リング２２３は、保持開口部２２６、ロック開口部２２８、レリーフ溝２３２、および保持溝２３４を規定している。保持開口部２２６は、環状リング２２３の周りで離間されている。保持開口部２２６が、環状リング２２３の周りで均等にまたは不均等に離間され得ることが企図される。レリーフ溝２３２は、該レリーフ溝２３２が互いに対して直径方向において反対側になるように、環状リング２２３の周りで規定されている。ロック開口部２２８は、レリーフ溝２２８の中間に位置付けられ得る。レリーフ溝２３２は、平坦であり得、その結果、環状リングの曲率を、レリーフ溝２３２を形成するように平坦化し得る。保持溝２３４は、ロック開口部２２８の反対側でレリーフ溝２３２の間に位置付けられる。保持溝２３４は、シェルアセンブリ２２０の長手方向軸に対して平行な方向に延びており、レリーフ溝２３２の中間に位置付けられ得る。シェルアセンブリ２２０は、その一部が保持溝２３４の上で延びていることにより保持スロット２３６を規定している、近位方向に延びている保持カバー２３８を含む。
【００６３】
ロッキングカラー２４０は、解放表面２４１ａ、２４１ｂ、略環状本体２４２、ロック２４４、および保持リブ２５０を含む（図１４Ｂ）。解放表面２４１ａ、２４１ｂ、本体２４２、およびロック２４４は、それぞれ、ロッキングカラー４０に関して上で詳述された解放表面４１ａ、４１ｂ、本体４２、およびロック４４に類似しており、簡略化の理由により、本明細書中では以下に記載されない。環状本体２４２は、シェルアセンブリ２２０の環状リング２２３をスライド可能に受け取るようにサイズ決めされている。保持リブ２５０は、解放表面２４１ａ、２４１ｂの間で本体２４２の内側表面から内方に延びており、ロック２４４と対向している。保持リブ２５０は、本体２４２から延びている近位保持タブ２５２および遠位保持タブ２５４を含む。実施形態において、本体２４２の遠位側は、シェルアセンブリ２２０の保持カバー２３８を受け取るようにサイズ決めされた保持カットアウト２５８（図１４Ａ）を規定している。以下により詳細に記載されるように、保持リブ２５０は、保持溝２３４内に受け取られることにより、ロッキングカラー２４０をシェルアセンブリ２２０と回転整列させるか、または、割り出しする。
【００６４】
保持リング２６０は、ロッキングカラー２４０の近位の位置でシェルアセンブリ２２０の環状リング２２３の上に位置付けられることにより、ロッキングカラー２４０をシェルアセンブリ２２０の環状リング２２３の上に保持する。保持リング２６０は、ロッキングタブ２６２を含み、保持スロット２６４を規定している（図１４Ｂ）。ロッキングタブ２６２は、保持リング２６０の内側表面から延びており、環状リング２２３のそれぞれの保持開口部２２６内に受け取られるようにサイズ決めされている。ロッキングタブ２６２の各々は、遠位方向に面する楔を規定しており、該楔は、ロッキングタブ２６２が保持開口部２２６と整列させられるまで、保持リング２６０が環状リング２２３の上をスライドするときに、保持リング２６０を外方に撓ませるように構成されている。ロッキングタブ２６２が保持開口部２２６と整列させられるとき、ロッキングタブ２６２は、保持開口部２２６を通してスナップ留めされることにより、保持リング２６０を環状リング２２３に対して固定する。保持リング２６０のロッキングタブ２６２および環状リング２２３の保持開口部２２６は、環状リング２２３の周りに位置付けられ、その結果、ロッキングタブ２６２が保持開口部２２６内で受け取られると、保持スロット２６４は、環状リング２２３の保持溝２３４と回転整列させられる。環状リング２２３は、該環状リング２２３の近位端において面取り部２２６ａを規定し得ることにより、保持リング２６０を環状リング２２３と回転整列させることを補助し得、かつ、保持リング２６０を環状リング２２３の上でスライドさせることを補助し得る。
【００６５】
また、図１５〜１７を参照すると、装填ユニット２１０を組み立てる方法が、本開示に従って開示されている。最初に、図１４Ａおよび図１４Ｂを参照すると、ロッキングカラー２４０は、シェルアセンブリ２２０と整列させられ、ロッキングカラー２４０の保持リブ２５０は、シェルアセンブリ２２０の環状リング２２３において規定された保持溝２３４と整列させられる。ロッキングカラー２４０がシェルアセンブリ２２０と整列されたとき、ロッキングカラー２４０は、環状リング２２３の上を遠位方向にスライドし、保持リブ２５０は、保持溝２３４内をスライドする。ロッキングカラー２４０は、該ロッキングカラー２４０のロック２４４が環状リング２２３のロック開口部２２８内に配置されるまで、環状リング２２３の上を遠位方向にスライドする。環状リング２２３は、ロック開口部２２８と軸方向に整列させられているロック面取り部２２８ａ（図１６）を規定し得ることにより、ロッキングカラー２４０を環状リング２２３と回転整列させることを補助し得、ロッキングカラー２４０を環状リング２２３の上でスライドさせることを補助し得る。ロッキングカラー２４０が、環状リング２２３の上で遠位方向にスライドすると、ロック２４４は、環状リング２２３に当接し得る。環状リング２２３上のロッキングカラー２４０の設置を促進するために、ロッキングカラー２４０が環状リング２２３の上でスライドさせられるときに、解放表面２４１ａ、２４１ｂが、互いに向けて圧迫され得、ロッキングカラー２４０の本体２４２を撓ませ、ロック２４４を、環状リング２２３を越えて外方に移動させる。図１６に示されているように、ロック２４４が、ロック開口部２２８と整列させられると、解放表面２４１ａ、２４１ｂは解放され、その結果、ロック２４４は、ロック開口部２８８を通してスナップ留めされる。
【００６６】
図１６を特別に参照すると、ロッキングカラー２４０が、環状リング２２３の上でスライドさせられると、保持リブ２５０は、保持タブ２５４がシェルアセンブリ２２０の保持スロット２３６内で受け取られるまで、環状リング２２３の保持溝２３４内で受け取られる。ロッキングカラー２４０が環状リング２２３の周りに位置付けられた状態で、保持リング２６０は、環状リング２２３の上で遠位方向にスライドさせられることにより、ロッキングカラー２４０を環状リング２２３上に固定する。保持リング２６０を環状リング２２３の周りでスライドさせるために、保持リング２６０は、環状リング２２３およびロッキングカラー２４０と半径方向に整列させられ、保持リング２６０の保持スロット２６４は、保持リブ２５０の近位保持タブ２５２およびシェルアセンブリ２２０の保持溝２３４と整列させられる。保持リング２６０が環状リング２２３の上に位置付けられたとき、ロッキングタブ２６２は、環状リング２２３の保持開口部２２６を通してスナップ留めされ、保持リング２６０を環状リング２２３の近位端に対して固定する。
【００６７】
図１７〜１９を参照すると、以下に詳述されるように、環状リング２２３のレリーフ溝２３２は、ロッキングカラー２４０の本体２４２の解放表面２４１ａ、２４１ｂの下にクリアランスを提供することにより、解放表面２４１ａ、２４１ｂの内方移動を促進する。図１９に示されているように、解放表面２４１ａ、２４１ｂが内方に押圧されたとき、ロッキングカラー２４０の保持タブ２５２、２５４（図１６）は、ロック２４４の反対側のロッキングカラー２４０の本体２４２の側が、外方に移動することを防止する。したがって、解放表面２４１ａ、２４１ｂが内方に押圧されたとき、ロックを支持しているロッキングカラー２４０の側のみが、外方に移動する。ロック２４４の反対側の本体２４２の側が外方に移動することを抑制または防止することにより、ロック開口部２２８からロック２４４を変位または移動させるために必要な解放表面２４１ａ、２４１ｂの内方移動の範囲は、上で詳述したロッキングカラー４０と比較したときに、低減される。
【００６８】
図１９に示されているように、解放表面２４１ａ、２４１ｂの両方が内方に移動させられたとき、ロック２４４は、外方に移動させられ、その結果、ロック２４４は、環状リング２２３によって規定された円筒形開口部２２１の外側に、環状リング２２３の外側表面を越えて、位置付けられる。これは、装填ユニット２１０が、上で詳述したように、アダプタまたは外科用器具の遠位端から取り外し可能またはスライド可能であることを可能にする。上で詳述されたように、ロック２４４を外方に移動させ、アダプタまたは外科用器具の遠位端からの装填ユニット２１０の取り外しを可能にするためには、解放表面２４１ａ、２４１ｂのうちの一方のみを内方に移動させることが必要であるように、レリーフ溝２３２が構成され得ることが企図される。
【００６９】
本開示のいくつかの実施形態が図に示されてきたが、本開示をそれらに限定することは意図されていない。なぜなら、本開示は当該技術分野において許容され得る広さの範囲であること、および、本明細書はそのように読まれるべきであることが意図されているからである。上述した実施形態の任意の組み合わせもまた企図され、添付の特許請求の範囲の範囲内にある。本開示は、円形ステープリング装填ユニットに限定されるものではなく、線形ステープリングまたはその他のタイプの器具（例えば、電気焼灼器具または超音波器具）のための装填ユニットに対する適用を有する。したがって、上述の記載は、限定として解釈されるべきではなく、特別な実施形態の例示にすぎないとして解釈されるべきである。当業者は、本明細書に添付した特許請求の範囲の範囲内でその他の改変を構想し得る。
【図１Ａ】
2020189153.tif 000003
【図１Ｂ】
2020189153.tif 000004
【図２Ａ】
2020189153.tif 000005
【図２Ｂ】
2020189153.tif 000006
【図３】
2020189153.tif 000007
【図４】
2020189153.tif 000008
【図５】
2020189153.tif 000009
【図６】
2020189153.tif 000010
【図７】
2020189153.tif 000011
【図８】
2020189153.tif 000012
【図９】
2020189153.tif 000013
【図１０】
2020189153.tif 000014
【図１１】
2020189153.tif 000015
【図１２】
2020189153.tif 000016
【図１３】
2020189153.tif 000017
【図１４Ａ】
2020189153.tif 000018
【図１４Ｂ】
2020189153.tif 000019
【図１５】
2020189153.tif 000020
【図１６】
2020189153.tif 000021
【図１７】
2020189153.tif 000022
【図１８】
2020189153.tif 000023
【図１９】
2020189153.tif 000024